(57)【要約】【課題】１枚のダンボールで構成でき、構造が簡単で収納箱に対するセッティングが容易であると共に瓶の装填も容易に行い得るものでありながら、箱をどのような方向から落下させても収納した瓶が割れる虞がないところの支持板を備えたダンボール製の瓶類収納箱を提供すること。【解決手段】箱本体とは別体で、該箱本体内に設置されて瓶類を支承するダンボール製の一枚物の支持板を備え、該支持板に、６本の折り目を入れて底辺を有する直角三角形を両側に夫々形成し、且つ、収納する瓶の本数に対応させて、瓶類の底部側の所定箇所と、注口部側の所定箇所とを、瓶類の長手方向中心軸線に対して所定の傾斜角度で切断する仮想長円周で支持するための開孔が対向して形成されているダンボール製の瓶類収納箱。【選択図】図３
0003123261.tif 000002
【実用新案登録請求の範囲】
【請求項１】
上面に折り畳み式の蓋体１Ａを備えた箱本体１に、少なくとも１本の瓶類３を収納し、包装して搬送するのに用いるダンボール製の瓶類収納箱であって、
前記箱本体１とは別体で、その横幅Ｌが該箱本体１の内横幅に略一致するように構成され、該箱本体１内に設置されて瓶類を支承するダンボール製の一枚物の支持板２を備え、
該支持板２に、収納する前記瓶類３の長手方向に直交する方向に、所定の間隔を隔てて、少なくとも４本の折り目４，５，６，７を設け、
前記支持板の、前記瓶類３の長手方向の中間部に対応する中央部分を、前記箱本体１の底部１Ｂに接当する底片支持部８に構成し、
該底片部８から前記折り目４，５を介して前記瓶類３の底部３Ａと注口部３Ｂ側に向けて斜めに立ち上がる支持面部９，１０を構成し、
前記折り目６，７を山形の頂部として、高さが前記箱本体１の上下方向の内面に実質的に一致する側面視で直角三角形を形成して、前記箱本体１の前後壁１Ｃ，１Ｄに内接する側壁部１１，１２を夫々構成し、
前記４本の折り目４，５，６，７の両外側に、更に、折り目１５，１６が設けられ、該折り目１５，１６によって、前記直角三角形の底辺を形成して、前記箱本体１の底部１Ｂに接当する底辺部１７，１８を構成し、
収納する瓶の本数に対応させて、前記支持面部９，１０に、前記瓶類３の底部３Ａ側の所定箇所と、注口部３Ｂ側の所定箇所とを、瓶類３の長手方向中心軸線Ｐに対して所定の傾斜角度で切断する仮想長円周Ｒで支持するための開孔１３，１４が対向して形成され、且つ、
前記開孔１３，１４は、ここに前記瓶類３の底部３側の所定箇所と注口部３Ｂ側の所定箇所とを夫々挿入設置したときに、該瓶類３が、前記箱本体１に内接しない箇所に位置されている、
ことを特徴とするダンボール製の瓶類収納箱。
【請求項２】
前記開孔１３，１４が、一枚物の支持板２に対して、複数の切り込み目１９，２０を入れることで、その開孔１３，１４の孔周部分で繋がっている夫々折れ曲がり自在の複数の開孔片２１，２２を形成し、これら開孔片２１，２２の前記直角三角形の内側への折れ曲がりによって形成されていることを特徴とする請求項１のダンボール製の瓶類収納箱。
【請求項３】
前記開孔１３，１４が、一枚物の支持板２に対して、その開孔１３，１４の孔周部分で切り取り切除して形成されていることを特徴とする請求項１又は請求項２のダンボール製の瓶類収納箱。
【考案の詳細な説明】
【技術分野】
【０００１】  本考案は、ジュースや酒類等の瓶類を収納し、包装するところのダンボール製の瓶類収納箱に関する。
【背景技術】
【０００２】  ジュースや酒類等を瓶詰めした瓶製容器を収納し、包装用として用いる収納ケースとしては、種々の形態があるが、コストに鑑み、中でも一般に広く流通しているのがダンボール製の箱である。
特に、少数本の瓶を小売し、輸送する場合、１本当たり５００ミリリットル以下は勿論のこと、１リットル程度の容量までの小型の瓶であれば、１本乃至３本程度を１箱に詰めて取り扱うのに、シングル或いはダブルのダンボールでも十分に可能である。【０００３】  この場合、前記ダンボール製箱は、瓶の包装と輸送時のケースを兼ねるものが一般的であるが、問題は、輸送等の取り扱いにおいて、箱を落としたとき、乱雑に取り扱かわれたときに、収納した瓶が割れないようにするための工夫が必要である。
こうした問題を解決するために、収納箱に瓶割れ防止のための工夫がなされるが、次の文献に示す技術が提案されている。【０００４】
【特許文献１】実開平６−８２２３。瓶収納箱。
【特許文献２】実開平６−５１１５６。瓶の保持体。
【特許文献３】特開２０００−４３９６６。瓶体運送用の収納箱。
【特許文献４】特開２００３−３１２７４１。瓶類の輸送用収納箱。
【特許文献５】登録実用新案第３０８８３０４号。瓶ものの包装箱。
【考案の開示】
【考案が解決しようとする課題】
【０００５】  上記特許文献１は、瓶割れ防止に発泡スチロールなどの緩衝材を使用せずに、箱の底部に複両面段ボール製の重合底板を採用し、瓶の口部には、位置保持のための係止板部が設けられている。しかし、この構造は、結果として段ボールの厚みを増すようにしただけのもので、この箱が落下するときに必ずしも、瓶の底部側から落下するとは限らず、その防止対策は不完全であった。また、重合底板を貼り付ける必要があるため、製造コストが上がる。【０００６】  上記特許文献２は、複数枚の段ボールからなる首部保持体と胴部保持体に、瓶に密着嵌合させる穴を形成した構造のもので、瓶割れ防止の効果は確実性を増すが、複数枚の二種の段ボールに、夫々異なる口径の穴を形成しなければならず、部材点数が増えると共に口径が瓶口径に合致させてあるため、瓶収納時に装填の手間がかかるという問題がある。【０００７】  上記特許文献３は、上記特許文献２と同様の考え方で、１枚の段ボールからなる天部緩衝体、２枚の段ボールからなる中間部緩衝体に、３枚の段ボールからなる底部緩衝体に、瓶に密着嵌合させる穴を形成した構造が採用されているのもので、瓶割れ防止の効果は確実性を増すが、複数枚の段ボールに、夫々異なる口径の穴を形成しなければならない点などはコスト高を招くと共に部材点数が増え、また、前記挿入口径が瓶の各部の口径に合致させてあるため、瓶収納時に装填の手間がかかるという問題が残るものである。【０００８】  上記特許文献４についても、１本の瓶を、箱体とは別の段ボールの保持部材に縦長の抜き穴を形成して、ここに挟持状態で収納し、衝撃を緩衝させるよういしている。
この構造は、上記各特許文献よりも構造がシンプルであるが、上記保持部材は、その抜き穴構造からみて、箱が横向きになって落下したときには瓶の重量を支える役目を果たさないもので、単なる位置保持機能を果たすものであり、その他に、底部及び頭部の緩衝部材も存在し、部品点数が多いのは上記各特許文献のものと同じである。【０００９】  上記特許文献５は、コの字形に折り曲げた中仕切りと厚手の中板とを設け、これによって箱に上下方向の強度を持たせるようにした構造のもので、箱が潰れ難くなるが、厚手のダンボールを複数枚準備しなければならず部品点数が増すと共に外側の瓶の横方向からの衝撃に対して中仕切りが機能しないもので、その分、箱を上部なダンボール（ダブル）で構成しなければならない。【００１０】  このように、これまでの瓶割れ防止の技術では、その緩衝手段として、複数枚のダンボールを用い、或いはそのダンボールを収納箱及び瓶に対して適合するように加工するという方法を採るものであり、コスト高、瓶収納作業での容易性に欠けるという問題点が残るものであった。【００１１】  本考案は、１枚のダンボールで構成でき、構造が簡単で収納箱に対するセッティングが容易であると共に瓶の装填も容易に行い得るものでありながら、箱をどのような方向から落下させても収納した瓶が割れる虞がないところの直角三角形の構造を有する支持板を備えたダンボール製の瓶類収納箱を提供することを目的とする。
【課題を解決するための手段】
【００１２】  本考案にかかるダンボール製の瓶類収納箱は、上記目的を達成するために、
上面に折り畳み式の蓋体１Ａを備えた箱本体１に、少なくとも１本の瓶類３を収納し、包装して搬送するのに用いるダンボール製の瓶類収納箱であって、
前記箱本体１とは別体で、その横幅Ｌが該箱本体１の内横幅に略一致するように構成され、該箱本体１内に設置されて瓶類を支承するダンボール製の一枚物の支持板２を備え、
該支持板２に、収納する前記瓶類３の長手方向に直交する方向に、所定の間隔を隔てて、少なくとも４本の折り目４，５，６，７を設け、
前記支持板の、前記瓶類３の長手方向の中間部に対応する中央部分を、前記箱本体１の底部１Ｂに接当する底片支持部８に構成し、
該底片部８から前記折り目４，５を介して前記瓶類３の底部３Ａと注口部３Ｂ側に向けて斜めに立ち上がる支持面部９，１０を構成し、
前記折り目６，７を山形の頂部として、高さが前記箱本体１の上下方向の内面に実質的に一致する側面視で直角三角形を形成して、前記箱本体１の前後壁１Ｃ，１Ｄに内接する側壁部１１，１２を夫々構成し、
前記４本の折り目４，５，６，７の両外側に、更に、折り目１５，１６が設けられ、該折り目１５，１６によって、前記直角三角形の底辺を形成して、前記箱本体１の底部１Ｂに接当する底辺部１７，１８を構成し、
収納する瓶の本数に対応させて、前記支持面部９，１０に、前記瓶類３の底部３Ａ側の所定箇所と、注口部３Ｂ側の所定箇所とを、瓶類３の長手方向中心軸線Ｐに対して所定の傾斜角度で切断する仮想長円周Ｒで支持するための開孔１３，１４が対向して形成され、且つ、
前記開孔１３，１４は、ここに前記瓶類３の底部３側の所定箇所と注口部３Ｂ側の所定箇所とを夫々挿入設置したときに、該瓶類３が、前記箱本体１に内接しない箇所に位置されている、
という手段を講じたものである。【００１３】  本考案のダンボールは、収納瓶の総重量が２Ｋｇ程度であればシングルパッキンで十分であるが、必要に応じてダブルパッキンを用いてもよい。
収納箱に対する収納瓶は、小売販売及び流通事情等からして、通常２又は３本を対象とするのが一般的であるが、１本についても本考案の目的は達成されるものであり、又、４本、５本であっても本考案の対象となる。そして、瓶類３の形状としては、一般的には本体部分は横断面が円形であるが、矩形のものであっても本考案の対象となる。
また、前記開孔１３，１４は、実施例では横断面が円形の瓶類３を想定して長円形を成しているが、楕円であっても、真円であっても、三角形であっても良く、又、横断面が矩形の瓶類３にあっては、矩形、四角であってもよいものである。
【考案の効果】
【００１４】  本考案によれば、１枚のダンボールを用いて、これに折り目と切り込みを入れるだけの簡単な支持板の構造でもって、その折り目を折り曲げるだけで収納箱に容易にセッティングできると共に切り込みの箇所に形成の開孔に対して瓶の注口部側と底部側とを挿入して装填を容易に行い得るものでありながら、前記開孔での瓶類の長手方向中心軸線に対して所定の傾斜角度で切断する仮想長円周Ｒで瓶を支持することによって、即ち、支持板による瓶の支持が横断面指示よりも長くなる長円周の支持でもって支持することで、瓶に対する衝撃を支持線でもって分散支持させさせることができて、収納箱をどのような方向から落下させても収納した瓶が割れる虞がないという顕著な効果を奏するに至った。【００１５】  加えて、支持板に底辺部（１７，１８）を有する直角三角形の構造が備えられていることで、特に箱本体の横方向からの圧力（衝撃）のみならず前後方向に対しても、完成された三角形の構造（底辺部１７，１８と底片支持部８の一直線並び）が強化されて、支持板の強化を図ることができて、収納瓶の保護をより確実に図ることができる。
そして、１枚のダンボールの折り曲げと切り込みだけの加工であるので河口コストも低く抑えることができ、また、部品点数も１点で済み、非常に安価に提供できる利点がある。
【考案を実施するための最良の形態】
【００１６】  本考案の実施に際しては、前記開孔１３，１４が、一枚物の支持板２に対して、複数の切り込み目１９，２０を入れることで、その開孔１３，１４の孔周部分で繋がっている夫々折れ曲がり自在の複数の開孔片２１，２２を形成し、これら開孔片２１，２２の前記直角三角形の内側への折れ曲がりによって形成されていることが好ましい。
この場合、一枚物のダンボールに開孔１３，１４を設ける加工に際し、切り込みを入れるだけで、それによる開孔片２１，２２を残すことで、瓶装填時に、これらを押し込む状態で折り曲げて瓶を、開孔の切断面で支持するのではなく、開孔片２１，２２の面で弾性的に支持することができ（その折り曲げによる復元力によるもので、その面全体が支持板に作用する衝撃力に対して抗力を発揮するという意味ではない）、廃材を出すことなく、且つ、瓶の支持を安定的に行うことができる。
そして、前記開孔片２１，２２の弾性復元力により、製作誤差等で、開孔１３，１４の内径が多少大きくなっても、瓶と密着した嵌合状態が得られ、保持力が増す。【００１７】  更に、前記開孔１３，１４が、一枚物の支持板２に対して、その開孔１３，１４の孔周部分で切り取り切除して形成されていてもよい。
このように、前記開孔１３，１４の形成に際して、切り抜く方法を採用しても、本考案の目的は達成されるものであり、この場合、切り抜きにより廃材は出るが、打ち抜きの工程で簡単に形成できるので、コスト的に高くなるという問題はない。
【実施例】
【００１８】  本考案にかかるダンボール製の瓶類収納箱の一好適実施例について、図面を参照して以下詳述する。
図１に示すのは、瓶類３を収納し、包装して搬送するのに用いるダンボール製の瓶類収納箱の全体斜視図であり、シングルのダンボールで通常の箱製作技術により製作された箱本体１で、上面の折り畳み式の４枚の蓋体１Ａが開かれ、内部に２本の瓶類３（ここでは、果実のジュースを収容した瓶で、１本が９００ミリリットル：通常７５０ミリリットル乃至１リットル瓶）が、支持板２を介して収納されている状態である。従って、収容した瓶類３が２本であると、全重量は、約２ｋｇである。【００１９】  図２は、前記支持板２の展開平面図であり、該支持板２が１枚のダンボール（箱本体と同様のシングル）から構成されるもので、前記箱本体１とは別体で、その横幅Ｌが該箱本体１の内横幅に略一致するように構成され、該箱本体１内に設置されて瓶類３を支承する。このために、前記支持板２には、収納する前記瓶類３の長手方向に直交する方向に、所定の間隔を隔てて、少なくとも４本の折り目４，５，６，７を設け、前記支持板の、前記瓶類３の長手方向の中間部に対応する中央部分を、前記箱本体１の底部１Ｂに接当する底片支持部８に構成し、該底片部８から前記折り目４，５を介して前記瓶類３の底部３Ａと注口部３Ｂ側に向けて斜めに立ち上がる支持面部９，１０を構成し、以って、図３に示すように、前記折り目６，７を山形の頂部として、高さが前記箱本体１の上下方向の内面に実質的に一致する側面視で直角三角形を形成して、前記箱本体１の前後壁１Ｃ，１Ｄに内接する側壁部１１，１２を夫々構成している。【００２０】  この実施例では、前記底片支持部８の長さは、約１４０ミリであり、支持面部９，１０の長さは、それぞれ約１２５ミリであり、側壁部１１，１２は、夫々約９０ミリである。更に、前記４本の折り目４，５，６，７の両外側には、折り目１５，１６が設けられ、該折り目１５，１６によって、前記直角三角形の底辺を形成して、前記箱本体１の底部１Ｂに接当する底辺部１７，１８が構成されている。この底辺部１７，１８の長さは、約７８ミリである。【００２１】  そして、収納する瓶類３の本数に対応させて、即ち、この実施例では２本の瓶類３を収納するために、前記支持面部９，１０に、前記瓶類３の底部３Ａ側の所定箇所と、注口部３Ｂ側の所定箇所とを、図４、図５で示すように、瓶類３の長手方向中心軸線Ｐに対して所定の傾斜角度で切断する仮想長円周Ｒで支持するための開孔１３，１４が夫々対向して形成されている。ここにいう、瓶類３の長手方向中心軸線Ｐに対して所定の傾斜角度で切断する仮想長円周Ｒとは、図５に示すように、側面視では、瓶類３の側面に傾斜した直線として示すことができるが、それは瓶の周面に形成されるもので、横断面視では外周円が長円として捉えられるものである。【００２２】  そして、前記開孔１３，１４は、ここに前記瓶類３の底部３Ａ側の所定箇所と注口部３Ｂ側の所定箇所とを夫々挿入設置したときに、該瓶類３が、前記箱本体１に内接しない箇所に位置されている。即ち、本考案の支持板２は、瓶類３を箱本体１から遊離させた状態で支持するものである。このために、ここでは、瓶類３の底部３Ａ側を挿入する前記開口１３，１３の位置として、その長円開口の外周（後述する折れ曲がり相当部分）���支持板２の両側縁との間は、夫々約２０ミリで、前記折り目４から長円開口の外周（後述する折れ曲がり相当部分）までの長さは、約１２ミリであり、前記折り目６と長円開口の外周（後述する折れ曲がり相当部分）までの長さは、約８ミリであり、両開口１３，１３は、約１８ミリに設定されている。そして、瓶類３の注口部３Ｂ側を挿入する前記開口１４，１４の位置として、その長円開口の外周（後述する折れ曲がり相当部分）と支持板２の両側縁との間は、夫々約４５ミリで、前記折り目５から長円開口の外周（後述する折れ曲がり相当部分）までの長さは、約５０ミリであり、前記折り目７と長円開口の外周（後述する折れ曲がり相当部分）までの長さは、約２５ミリであり、両開口１４，１４の間は、約６８ミリに設定されている。【００２３】  更に、前記開孔１３，１４が、一枚物の支持板２に対して、その開孔が長円形を成すように、複数の切り込み目１９，２０を入れることで、その開孔１３，１４の孔周部分で繋がっている夫々折れ曲がり自在の複数の開孔片２１，２２を形成し、これら開孔片２１，２２の前記直角三角形の内側への折れ曲がりによって形成されている。【００２４】  図２に示すように、瓶類３の底部側を挿入する開孔１３（一つについて）を形成する複数の切り込み目１９は、支持板２の長手方向に沿って長円の中央部に所定幅で切り込まれた２本の切り込みと、その、箱本体１の上面側に近い箇所で、前記２本の切り込みをつなぐ切り込みとが、展開平面視でＨ型を成すように入れ、更に、長円の開孔１３の周部に相当する部分において、長円の支持板２の長手方向に沿った横部分と、前記２本の切り込み幅に対応する長円の部分以外の周部に円弧状の切り込みを含むものである。【００２５】  ここでは、前記Ｈ型の両サイドの切り込み長さは、約９０ミリであり、その幅は約４０ミリであり、それを分割する切込みは、箱本体１の上面側に近い箇所の長さは、仮想周縁から約２５ミリの位置であり、下方側は、仮想周縁から約７５ミリの位置である。そして、切り込みのない前記両横部分の長さは、夫々約３０ミリであり、また、前記２本の切り込み幅に対応する長円の部分では、その幅への切り込みが両側から夫々約１０ミリ程度行われ、折れ曲がりが容易になるようにされている。【００２６】  同様に、瓶類３の注口部３Ｂ側を挿入する開孔１４（一つについて）を形成する複数の切り込み目２０は、支持体の長手方向に沿った１本の切り込みを、その長円の中心に入れ、長円の支持板２の長手方向に沿った横部分を残して、前記１本の切り込みの両端に繋がる円弧状の切り込みを含む。
ここでは、前記１本の切り込長さは、約４７ミリであり、切り込みがされない横部分の繋ぎ箇所は、約２０ミリである。従って、この開孔片２２は、２枚であり、丁度観音開きに押し開いて開孔１４が形成されることになる。
尚、図４は、瓶類３を箱本体１に装填した状態を分かり易くする為に示す概略の縦断側面図であり、ここでは、便宜上、箱本体１と支持板２とが離れた状態で示しているが、上述した説明から明らかなように、支持板２の外側は、箱本体１の内面に密着されている。【００２７】（作用の説明）
上記のように構成された支持板２を、その折り目４，５，６，７，１５，１６を折り曲げ、二つの直角三角形を両側に係止形成した状態で、蓋体１Ａが開口されている箱本体１の内部に設置する。この際、前記二つの直角三角形の垂直壁である側壁部１１，１２が、前記箱本体１の前後壁１Ｃ，１Ｄに内接する。
この状態において、瓶類３（１本）を装填するに、先ず、例えば、瓶類３の底部３Ａを、開孔１３を形成する部分に当てつけ、そこにある開孔片２１を、切り込み目１９を利用して、箱本体１の後壁１Ｄ側に押し開いて開孔１３を形成して、この開孔１３を介して支持板２に支持させる。【００２８】  次いで、同様に、瓶類３の注口部３Ｂについても、注口部３Ｂを、開孔１４を形成する部分に当てつけ、そこにある開孔片２２を、切り込み目２０を利用して、箱本体１の前壁１Ｃ側に押し開いて開孔１４を形成して、この開孔１４を介して支持板２に支持させる。【００２９】  このようにして２本の瓶類３が設置されて蓋体１Ａが閉じられ、搬送途中において、不注意によって箱本体１が落下した場合、何れの向きに傾いて落下しても、前記支持板２は、緩衝機能を発揮して瓶類３を十分に保持できるものである。
即ち、図４にも示されているように、夫々の開孔１３，１４に挿入された瓶類３は、前記開孔１３，１４が、支持板２の傾斜した支持面部９，１０に形成されていることで、瓶類３に対する支持が、瓶類３の長手方向中心軸線Ｐに対して所定の傾斜角度で切断する仮想長円周Ｒで支持されることになり、この支持板２に対して加わる衝撃力（何れの方向も）が瓶類３に伝達される場合に、その仮想長円周Ｒという長い部分で、且つ、瓶類３の長手方向に傾斜した箇所に伝達されることになり、従来一般において支持されていた瓶類３の長手方向中心軸線Ｐに対して直交する支持方式と異なり、瓶類３の横断面方向にせん断力が集中的に作用するのを回避できて、瓶が割れ難くすることが出来るのである。【００３０】  また、支持面部９，１０が傾斜され、且つ、全体として直角三角形を形成していることで、その支持面部９，１０が、箱本体１の内部に設けた筋交いの役目を果たして、箱本対１の強化も図ることができるのであり、トライアングルを形成することによる支持板２全体の構造的な剛性向上と相まって、重量ある瓶類３を十分に保持することが出来て、瓶割れをより一層確実に防止できるのである。【００３１】（変形例）
図示は省略するが、本考案の実施に際して、前記開孔１３，１４が、一枚物の支持板２に対して、その開孔１３，１４の孔周部分で切り取り切除して形成されている構造を採用してしてもよいものである。
このような構造であると、製作に際して切除に伴う廃材が出るが、打ち抜き工程で開孔１３，１４が形成できるから、コスト的には問題ないものである。
【産業上の利用可能性】
【００３２】  本考案にかかるダンボール製の瓶類収納箱は、それを店頭展示にそのまま用い得る包装用箱としても、搬送用の梱包箱としても利用できるので、この意味において用途が広がるものであり、収納する瓶類としても、ジュース、酒類、化粧品、薬品等、主に液体（粉体でもよい）を瓶詰めする分野の瓶類収納箱として、その応用範囲は広いものである。
【図面の簡単な説明】
【００３３】
【図１】本考案に係るダンボール製の瓶類収納箱の全体の斜視図。
【図２】本考案に係るダンボール製の瓶類収納箱の支持板の展開平面図。
【図３】本考案に係るダンボール製の瓶類収納箱の支持板の斜視図。
【図４】本考案に係るダンボール製の瓶類収納箱の概略説明図。
【図５】本考案のダンボール製の瓶類収納箱に収納する瓶についての概略説明図。
【符号の説明】
【００３３】１：箱本体
１Ａ：蓋体
１Ｂ：底部
１Ｃ：前壁
１Ｄ：後壁
２：支持板
３：瓶類
３Ａ：底部
３Ｂ：注口部
４：折り目
５：折り目
６：折り目
【図１】
0003123261.tif 000003
【図２】
0003123261.tif 000004
【図３】
0003123261.tif 000005
【図４】
0003123261.tif 000006
【図５】
0003123261.tif 000007